(57)【特許請求の範囲】
【請求項１】
錠ケース（１）と、ばね（５）で錠ケース（１）から突出する位置へ押圧されているラッチ・ボルト（３）とを備え、このラッチ・ボルトは本体部分（３ａ）、およびこの本体部分によって枢動可能に支持された少なくとも一つの外方へ向かってテーパーを付された楔形のヘッドピース（３ｂ）を有し、ドアーの開動または閉動方向において前記少なくとも一つの楔形のヘッドピースに作用する力によってラッチ・ボルト（３）が錠ケース（１）内に押し込められるようになされており、また、錠ケースから突出する位置へ向けてばね（９）により押圧されている補助ボルト（８）と、ラッチ・ボルト（３）の錠掛けを行う位置に移動可能である一方、補助ボルト（８）と協働し、ラッチ・ボルトが突出位置にある間にラッチ・ボルト（３）の錠掛けを行う位置へ向かう動きを補助ボルト（８）によって阻止されるように配置されているガイド機素（７）と、補助ボルト（８）およびラッチ・ボルト（３）の両方が最初にそれぞれの格納位置へ移動した場合にのみラッチ・ボルト（３）の錠掛けを行う位置へ向かうガイド機素（７）の動きを可能にするように配置された部材とを含むドアー錠内におけるラッチ・ボルトの錠掛けをガイドする構造であって、前記部材が補助ボルト（８）によって移動可能に支持されたストップ部材（１１）を含み、このストップ部材はガイド機素（７）、例えばその突起（７ｃ）に作用して、ガイド機素（７）がラッチ・ボルト（３）の錠掛けを行う位置に移動することを阻止するように配置され、また、前記ストップ部材（１１）はラッチ・ボルト（３）の錠掛けを行う位置へガイド機素（７）が移動できるようにさせる位置へ移動できることを特徴とする構造。
【請求項２】
ストップ部材（１１）はガイド機素（７）を移動できるようにする位置へばね（１２）によって押圧されることを特徴とする請求項１に記載された構造。
【請求項３】
補助ボルト（８）は錠ケース（１）に取付けられたガイド片（１０）を備え、このガイド片はストップ部材（１１）の動きの自由度を定め、また補助ボルト（８）の移動をガイドするように配置されていることを特徴とする請求項１または請求項２に記載された構造。
【請求項４】
ストップ部材（１１）はガイド機素（７）と協働し、前記ガイド片（１０）に対して回転可能なガイド・エッジ（１１ａ）を含むことを特徴とする請求項３に記載された構造。
【請求項５】
ガイド片（１０）はストップ部材（１１）のための楔形のガイド面（１０ａ）を含むことを特徴とする請求項４に記載された構造。
【請求項６】
ガイド機素の前記突起（７ｃ）は凹部（７ｄ）を備え、ラッチ・ボルト（３）および補助ボルト（８）がそれぞれの突出位置にあるときにはその凹部にストップ部材（１１）が常時位置決めされて、ラッチ・ボルト（３）の錠掛けを行う位置へガイド機素（７）が移動できるようにさせる位置への前記ストップ部材（１１）の移動が阻止されるようになされていることを特徴とする請求項１から請求項５までのいずれか一項に記載された構造。
【請求項７】
ラッチ・ボルト（３）はガイド面（４ａ）を備え、該ガイド面（４ａ）はラッチ・ボルト（３）が錠ケース（１）内に押し込まれたときにストップ部材（１１）を前記凹部（７ｄ）への位置決めから解除するようガイド機素（７）を移動させるように配置されていることを特徴とする請求項６に記載された構造。
【請求項８】
前記ガイド面（４ａ）がラッチ・ボルトの錠掛け部材（４）に連結され、錠掛け部材にガイド機素（７，７ａ）が作用してラッチ・ボルトの錠掛けを行うことを特徴とする請求項７に記載された構造。
【請求項９】
デッド・ボルト（１３）の動きをガイドするために前記ガイド機素（７）が配置されていることを特徴とする、デッド・ボルト（１３）を備えた錠ケースに適用されたときの請求項１から請求項８までのいずれか一項に記載された構造。
【発明の詳細な説明】
【技術分野】
【０００１】
本発明は特許請求の範囲の第１項の前文に記載されたドアー錠におけるラッチ・ボルトの錠掛けのガイド構造に関する。
【背景技術】
【０００２】
本明細書で説明する形式のラッチ・ボルトおよび補助ボルトを備えたドアー錠は、完成特許明細書Ｆｌ８３８０２Ｃに開示されている。この種のドアー錠におけるラッチ・ボルトの錠掛けは、補助ボルトが錠ケース内に押し込められることで簡単に達成される。通常、これはドアーが閉位置に向けて押される間に生じ、ラッチ・ボルトに加えて補助ボルトも、ドアーフレームおよびその上のストライカー・プレートによって強制的に錠ケース内へ格納される。ドアーが閉位置にある間、ラッチ・ボルトは突出して錠のストライカー・プレートの開口の中に延在するが、ラッチ・ボルトの錠掛けが解除されてドアーが再び開かれるまでは、補助ボルトの突出はストライカー・プレートによって阻止される。この錠掛けは、それ自体は周知である方法、例えばドアー内側のドアー・ハンドル、キーまたは電気的な遠隔制御によって解除できる。
【０００３】
ドアーが開かれると、ラッチ・ボルトおよび補助ボルトは共に上述の錠において突出位置となる。偶発的に、または誤操作の場合のいずれかによって補助ボルトが錠ケース内に押し込められてしまうと、それと連動してラッチ・ボルトの錠掛けが作動され、これによりドアーは押すだけで簡単に閉じることができなくなり、上述の錠掛けの解除方法のうちの一つを適用することが必要になる。状況によっては、特にドアーが昼間に使用される公共のドアーで、そのうえ電気的に遠隔制御されており、その不具合を報告する信号が必然的に直ちに発信されない場合に、これは非常に困難なことである。
【発明の開示】
【発明が解決しようとする課題】
【０００４】
本発明の目的は、構造が可能な限り簡単で信頼性が高く、それによって情実の不具合が効果的に解消することのできる新規な構造を提供することである。
【課題を解決するための手段】
【０００５】
本発明のこの目的は、特許請求の範囲の請求項１および他の請求項に記載された方法で達成できる。本発明によれば、この構造は、補助ボルトおよびラッチ・ボルトの両方がそれぞれの格納位置へ最初に移動される場合にのみ、ラッチ・ボルトの錠掛けを行う位置へガイド機素を移動できるように配置された部材を含んでいる。従って、ラッチ・ボルトの錠掛けを作動させるためには補助ボルトの押し込みだけでは不十分であり、その作動は、ドアーが閉位置へ向けて押されてラッチ・ボルトおよび補助ボルトの両方がドアー・フレームによって強制的に錠ケース内へ格納された後にのみ行われる。
【０００６】
好ましい実際的な実施例においては、前記部材には補助ボルトで移動可能に支持された別個のストップ部材が含まれ、補助ボルトが突出した位置にあるときにガイド機素、例えばその突起に作用して、ガイド機素がラッチ・ボルトの錠掛けを行う位置へ移動することを阻止するように構成される。前記ストップ部材はラッチ・ボルトの錠掛けを行う位置へガイド機素を移動させることができる位置へ移動できるように有利に構成されることができる。ストップ部材の作動を保証するために、ガイド機素の移動を可能にする前記位置にばねで押圧される。
【０００７】
補助ボルトは錠ケースに取付けたガイド片を備えることが好ましく、ガイド機素はストップ部材の動きの自由度を定め、補助ボルトの動きをガイドするように配置される。ストップ部材はガイド・エッジを含むことが好ましく、このガイド・エッジはガイド機素と協働し、このガイド片に対して回転可能である。ガイド片はストップ部材のための楔形状をしたガイド面を含み、それらの面がストップ部材の回転の自由度を好ましく定める。
【０００８】
ガイド機素の突起は凹部を備えることが有利であり、ラッチ・ボルトおよび補助ボルトがそれぞれの突出位置にある間、ストップ部材の前記回転運動を阻止するように常時この凹部にストップ部材は位置される。従って、ストップ部材自体の動作をガイドするために別個のストッパは必要ない。
【０００９】
ラッチ・ボルトはガイド面を備えており、このガイド面は、ラッチ・ボルトが錠ケース内に押し込まれるときにガイド機素を移動させて前記凹部の当接状態からストップ部材を解放するように配置されている。好ましい実際的な実施例において、前記ガイド面はラッチ・ボルトの錠掛け部材に連結することができ、ラッチ・ボルトの錠掛けを達成するためにその部材に対してガイド機素は作用するように構成される。
【００１０】
本発明は、上述した特許明細書Ｆｌ８３８０２Ｃにまさに記載されているようにデッド・ボルトも有する錠ケースに適用されることが好ましい。その場合、前記ガイド機素はデッド・ボルトの動きもガイドするように構成されることが好ましい。
【００１１】
以下に添付図面を参照し、例を挙げて本発明を説明する。
【実施例１】
【００１２】
図面では、符号１はドアーなどに取付けられる錠ケースを示している。この錠ケースは前部プレート２を備え、ラッチ・ボルト３および補助ボルト８、ならびにそれらのボルトに作動連結されたガイド機素７を有する。図面の実施例では、錠ケースは従来どおりのデッド・ボルト１３をさらに備えているが、本発明はこのデッド・ボルトとは無関係に適用される。
【００１３】
ラッチ・ボルト３は、別個の作動手段を必要とせずにドアーを開閉できるようになし、錠ケースから突出しているラッチ・ボルトのテーパーの付いた楔形端部の一方の側面がドアーフレーム上の錠のストライカー・プレートに当って錠ケース内の格納位置へと押し込まれるような形式のものとされる。図示実施例のラッチ・ボルト３は本体部分３ａを含み、この本体部分によって２つの別個の楔形のヘッドピース３ｂが枢動可能に支持される。これは特許明細書Ｆｌ８３８０２Ｃにさらに詳細に示されている構造に似ている。
【００１４】
ラッチ・ボルト３はばね５によって錠ケースから突出する位置に押圧され、錠ケースはばね５のためのストッパ６を備えている。ラッチ・ボルト３は錠掛け部材４も有しており、錠掛け部材は錠掛けを行うためにガイド機素７のガイド面７ａと協働される。錠掛け部材４のガイド面４ａは、以下にさらに詳細に説明するように、ガイド機素のカウンタ面７ｂと協働する。
【００１５】
ガイド機素７は前部プレート２へ向けて移動され、錠ケースはその動きをガイドするために関連するガイド部材を備えている。それらの部材のうちのピン１４が図１および図７に示されている。ガイド機素７は凹部７ｄおよびガイド溝７ｅを備えた突起７ｃも含んでおり、ガイド溝７ｅはデッド・ボルト１３のピン１５と協働してデッド・ボルトの動きをガイドする。
【００１６】
補助ボルト８は本体部分８ａおよびガイド部分８ｂを含み、錠ケースに取付けられたガイド片１０と協働する。補助ボルト８はばね９によりその突出した位置へ押圧され、ばね９もまたガイド片１０のカウンタ面１０ｂに対して支持される。さらに、この構造はストップ部材１１を含み、このストップ部材は補助ボルトの本体部分８ａによって移動可能に支持され、ばね１２によって錠ケースへ向けて押圧される。補助ボルト８はストップ部材１１に対して移動できる一方、ストップ部材は補助ボルトの本体部分８ａに対して回転できる。ガイド片１０のガイド面１０ａはストップ部材１１の回転自由度を定める。
【００１７】
この構造の作動は以下と通りである。ドアーが開いた状態に対応するラッチ・ボルト３および補助ボルト８の突出している図１および図２の状況では、ストップ部材１１はガイド部材のガイド機素の凹部７ｄ内にあり、これによりガイド機素７がラッチ・ボルト３を錠掛けする位置へ向けて図中下方向へ移動することを阻止する。同時に、凹部７ｄはストップ部材１１がばね１２によって与えられる負荷にもかかわらずに、この位置から回転して離れることを阻止する。
【００１８】
図３および図４の状況では、補助ボルトだけが錠ケース内に押し込められている。この場合には、両方のばね９，１２が従動され、ストップ部材１１はガイド機素７を上方の非錠掛け位置に保持し、これによりドアーはいかなる作動手段も必要とせずに閉位置に押し付けられている。
【００１９】
図５および図６はラッチ・ボルト３および補助ボルト８の両方が錠ケース１内に押し込められており、これはドアーを閉位置に押すときに関係する。従って、ラッチ・ボルト３が内側へ向かって移動すると同時に、それに含まれるガイド面４ａがガイド機素のカウンタ面７ｂに当り、ガイド機素７を図面で多少上方へ移動させ、これによりストップ部材１１が凹部７ｄとの突き当りから解除され、ばね１２で押されて図５および図６に示す位置へと回転する。
【００２０】
この後、ドアーが完全に閉じると、ラッチ・ボルト３はドアーフレーム上の錠のストライカー・プレートのボルト開口（図示せず）内に移動できるようになるが、ストライカー・プレートは補助ボルト８の突出は阻止する。これは図７および図８の状態にあたる。ラッチ・ボルト３が突出すると同時に、ガイド部材のストップ面７ｂはラッチ・ボルト３のガイド面４ａの衝突から解除される。ストップ部材１１は図５〜図８に示される回転位置へ向けてばね１２で押圧され続けるので、ガイド機素７は図７および図８に示されるガイド面７ａによってラッチ・ボルト３の錠掛けを行う下方位置へ移動できるようにされる。ドアーを開けることが目的ならば、ガイド機素７を再び図１および図２の上方位置へ移動させることが必要となる。これは例えば、ドアー・ハンドル、キーまたは電気的駆動方法によってそれ自体周知のいくつかの方法で達成することができる。これらの図面から明確となるように、デッド・ボルト１３もガイド機素７のガイド溝７ｅによって格納位置へ向けて移動可能にされ、ドアーの開きを可能にする。
【００２１】
本発明は上述の適用例に限られず、幾つかの変更例が特許請求の範囲に記載の範囲内で考えられる。
【図面の簡単な説明】
【００２２】
【図１】錠ケースが開かれ、ラッチ・ボルトおよび補助ボルトの両方が突出位置にある状態の本発明による構造の側面図である。
【図２】一部を断面とし、線ＩＩ−ＩＩに沿った斜視図とされた図１の部分的な拡大図を示す。
【図３】補助ボルトが錠ケース内の格納位置にある状態で図１の構造を示す。
【図４】一部を断面とし、線ＩＶ−ＩＶに沿った斜視図とされた図３の部分的な拡大図を示す。
【図５】ラッチ・ボルトおよび補助ボルトの両方が錠ケース内に押し込められた状態で図１の構造を示す。
【図６】一部を断面とし、線ＶＩ−ＶＩに沿った斜視図とされた図５の部分的な拡大図を示す。
【図７】ラッチ・ボルトが突出位置にあり、補助ボルトが錠ケース内の格納位置にあるドアーの閉位置に対応する図１の構造を示す。
【図８】一部を断面とし、線ＶＩＩＩ−ＶＩＩＩに沿った斜視図とされた図７の部分的な拡大図を示す。
【符号の説明】
【００２３】
１  錠ケース
２  前部プレート
３  ラッチ・ボルト
３ａ  本体部分
３ｂ  ヘットピース
４  錠掛け部材
４ａ  ガイド面
５  ばね
６  ストッパー
７  ガイド機素
７ａ  ガイド面
７ｂ  カウンタ面
７ｃ  突起
７ｄ  凹部
７ｅ  ガイド溝
８  補助ボルト
８ａ  本体部分
８ｂ  ガイド部分
９  ばね
１０  ガイド片
１１  ストップ部材
１１  ガイド・エッジ
１２  ばね
１３  デッド・ボルト
１４  ピン
１５  ピン
【図１】
0004538001.tif 000002
【図２】
0004538001.tif 000003
【図３】
0004538001.tif 000004
【図４】
0004538001.tif 000005
【図５】
0004538001.tif 000006
【図６】
0004538001.tif 000007
【図７】
0004538001.tif 000008
【図８】
0004538001.tif 000009